(57)【特許請求の範囲】
【請求項１】
２本のリンクをＸ字状に交差させて軸着したＸ形リンクを上下に２段配置し、上下に隣接する前記リンクの端部同士を夫々連結軸で軸着してなるパンタグラフリンクで昇降体を支持したリフト装置であって、
前記Ｘ形リンクを上下互いに内外逆の組み合わせとなるよう交差させると共に、前記連結軸で軸着される前記リンク間に、少なくともリンクの厚み分の間隔を設けて、前記上下のＸ形リンクが平面方向で重ならないように配置する一方、前記連結軸で軸着される両リンク端部と、前記連結軸と干渉する他のリンクの端部とを、切除部を設けることにより前記リンクの中央部分の幅の半分幅以下にし、互いに切除側が向き合うようにして、前記昇降体の最下降時に、前記連結軸での軸着部分と他のリンクの端部との干渉をなくし、前記パンタグラフリンクを各リンクが水平姿勢若しくは略水平姿勢となるように折り畳み可能としたことを特徴とするリフト装置。
【請求項２】
２本のリンクをＸ字状に交差させて軸着したＸ形リンクを上下に２段配置し、上下に隣接する前記リンクの端部同士を夫々連結軸で軸着してなるパンタグラフリンクで昇降体を支持したリフト装置であって、
前記Ｘ形リンクを上下互いに内外逆の組み合わせとなるよう交差させると共に、前記連結軸で軸着される前記リンク間に、少なくともリンクの厚み分の間隔を設けて、前記上下のＸ形リンクが平面方向で重ならないように配置する一方、前記連結軸と干渉する他のリンクの端部を短くして、前記昇降体の最下降時に、前記連結軸での軸着部分と他のリンクの端部との干渉をなくし、前記パンタグラフリンクを各リンクが水平姿勢若しくは略水平姿勢となるように折り畳み可能としたことを特徴とするリフト装置。
【発明の詳細な説明】
【０００１】
【発明の属する技術分野】
本発明は、２本のリンクをＸ字状に交差させて軸着したＸ形リンクを上下に２段配置し、上下に隣接する前記リンクの端部同士を夫々連結軸で軸着してなるパンタグラフリンクで昇降体を支持した車両整備用リフト等のリフト装置に関するものである。
【０００２】
【従来の技術】
通常、上記パンタグラフリンクにおいては、上下段のＸ形リンクは夫々交差が同じで、又、各リンクは全て同じ長さであるから、Ｘ形リンクの交差部や端部同士の連結軸は垂直線上に位置する。よって、リフト装置の下限時にはリンクや交差部等が重なり、テーブル等の昇降体は地面からリンクの３倍の幅より低く下げることができない。しかし、テーブル面を低くするためには、ピットを掘削してリフト装置を埋め込む等の手段が必要となり、コストがかさむ他、リフト装置の使用場所にも制限を受ける。
そこで、特開平８−７３１９４号公報には、上下に重なる下側のリンクを断面Ｕ字状と、上側のリンクをそのＵ字に納まる断面矩形状として、リフトの下限時には、上側のリンクを下側のリンク内に嵌入させて、その分下限位置を低くした発明が、又、実開平７−１５６８９号公報には、同様に下側のリンクを断面Ｌ字状にして、上側のリンクをそのＬ字の内側に沿うように重ねて、その分下限位置を低くした考案が夫々開示されている。
【０００３】
【発明が解決しようとする課題】
しかし、前者の公報の発明は、下側のＵ字状のＸ形リンクの交点は、各リンクの片側の薄肉部同士で連結したり、上側のＸ形リンクの交点との干渉を避けるために、下側のリンクの薄肉部に切欠きを設けたりする必要があることから、応力集中が発生しやすく、強度が低下し、リフトの能力を大きくできない。又、上部に開口するＵ字状であると、ゴミ等が留まりやすい。
一方、後者の公報の考案は、上下のリンクは水平方向で完全に重ならないため、下限高さの低下の効果は小さい。又、重なりを得るためにＸ形リンクの交点での軸着部をリンクの端縁よりに設定する必要があるため、強度が小さくなってしまう。
【０００４】
そこで、請求項１及び２に記載の発明は、強度等リフト装置の他の機能に影響を与えず、下限高さを極限まで低くして、深いピットを設けたり、設置場所に制約を受けたりすることなく、使い勝手の良好なリフト装置を提供することを目的としたものである。
【０００５】
【課題を解決するための手段】
上記目的を達成するために、請求項１に記載の第一発明は、前記上下のＸ形リンクの交差を互いに逆にすると共に、前記連結軸で軸着される前記リンク間に、少なくともリンクの厚み分の間隔を設けて、前記上下のＸ形リンクが平面方向で重ならないように配置する一方、前記連結軸で軸着される両リンク端部と、前記連結軸と干渉する他のリンクの端部とを、切除部を設けることにより前記リンクの中央部分の幅の半分幅以下にし、互いに切除側が向き合うようにして、前記昇降体の最下降時には、前記連結軸での軸着部分と他のリンクの端部との干渉をなくし、前記パンタグラフリンクを各リンクが水平姿勢若しくは略水平姿勢となるように折り畳み可能としたことを特徴とするものである。
同じく、上記目的を達成するために、請求項２に記載の第二発明は、前記Ｘ形リンクを上下互いに内外逆の組み合わせとなるよう交差させると共に、前記連結軸で軸着される前記リンク間に、少なくともリンクの厚み分の間隔を設けて、前記上下のＸ形リンクが平面方向で重ならないように配置する一方、前記連結軸と干渉する他のリンクの端部を短くして、前記昇降体の最下降時に、前記連結軸での軸着部分と他のリンクの端部との干渉をなくし、前記パンタグラフリンクを各リンクが水平姿勢若しくは略水平姿勢となるように折り畳み可能としたことを特徴とするものである。
【０００６】
【発明の実施の形態】
以下、本発明の実施の形態を図面に基づいて説明する。
図１は、リフト装置の全体図で、リフト装置１は、水平なベース２とテーブル３との間に、中央軸５で軸着した２本のリンク６，７と、その上段に同じく中央軸８で軸着した２本のリンク９，１０とを重ね、上下に隣接するリンク６と９、リンク７と１０を夫々軸１１，１１・・で連結してなるパンタグラフリンク４，４を一対平行に配置したもので、下段のリンク７，７の下端は、ベース２の一端へ軸１２によって回動自在に軸着する一方、リンク６，６の下端には、ローラ１３，１３を設けてベース２上を摺動自在とし、上段のリンク１０，１０の上端は、テーブル３の一端へ軸１４，１４によって回動自在に軸着する一方、リンク９，９の上端には、ローラ１５，１５を設けてテーブル３の下面に沿って摺動自在としている。
又、ここでは（以下、一対であるため片側のパンタグラフリンク４のみで説明する）、下段のＸ形リンクはリンク６を外、リンク７を内として軸着され、上段のＸ形リンクでは、リンク９を外、リンク１０を内として軸着され、上下段で互いに内外逆の組み合わせとなるよう交差させている。更に下段のＸ形リンクでは、リンク６の下端は、上側を削った半分幅にして、その先端にローラ１３が、リンク６の上端は、下側を削った半分幅にして、その先端に軸１１が夫々位置している。尚、リンク６の軸着部分は、内側へリンクの厚みの約半分突出した突出部６ａを形成している。同様にリンク７も、その下端は上側を削った半分幅にして、その先端に軸１２が、上端は下側を削った半分幅にして、その先端に軸１１が夫々位置している。
【０００７】
同様に、上段のＸ形リンクでは、リンク６の上端に連結されるリンク９は、その上下端は夫々下側を削った半分幅にして、その先端にローラ１５及び軸１１が夫々位置しているが、特に下端の軸着部分は、外側へリンクの厚みの約半分突出した突出部９ａを形成して、リンク６の突出部６ａと対向させ、リンク６と９との間にリンクの厚み１つ分より若干大きめの間隔を形成している。又、リンク１０の上下端も、夫々下側を削った半分幅にして、その先端に軸１４及び１１が位置しているが、特に下端の軸着部分は、リンク７との間に、スペーサ１６，１６が夫々介在されて、リンク７と１０との間にリンクの厚み１つ分より若干大きめの間隔を形成している。このように上下のリンクの軸着部分の間隔の設定によって、各リンク６，７，９，１０は平面方向に重ならない配置となっている。
そして、下段のリンク６，７においては、夫々中央軸５から各軸着位置及びローラまでの長さは等しく設定されているが、上段のリンク９，１０においては、中央軸８から各下端側の軸着位置までの長さは下段のリンク６，７と同じで、中央軸８から各上端側の軸着位置及びローラまでの長さは、それより若干短く設定されている。尚、１７，１７は、各リンクにおける半分幅の切除部分の長さより若干短い幅を有して、夫々リンク６，６と７，７との下端間を連結する補強板、１８は、リンク６，６の上端間を連結する補強バーである。
一方、上段のリンク１０，１０間で中央軸８の下方には、支点軸１９が架設され、その中央にテコ部材２０が回動可能に軸着されている。このテコ部材２０は、中央軸８側の端部に、基端を補強板１７に軸着される油圧シリンダ２１のピストンロッド２２の上端を軸着する一方、反対側の端部に、ローラ２３を取着し、油圧シリンダ２１の作動により回転して、リフト装置１が下限から立ち上がる際の揚力を得るようになっている。
【０００８】
以上の如く構成されたリフト装置１は、テーブル３を下限位置まで下降させると、パンタグラフリンク４の一方の関節部分においては、リンク７と１０との間のスペーサ１６，１６により、リンクの厚み１つ分の間隔があるのと共に、リンク９の上端側の短寸設定により、図２の如く、リンク９の上端はリンク７，１０間に納まり、夫々水平姿勢まで下降できる。この時、各リンク７，９，１０は夫々下側を切除した半分幅としているため、補強板１７との干渉も生じない。同様に、パンタグラフリンク４の他方の関節部分においても、リンク６と９との突出部６ａ，９ａによりリンクの厚み１つ分の間隔があるのと共に、リンク７では上側を、リンク６，９では下側を夫々切除した半分幅としていることから、図３R>３の如く、リンク６，７，９は互いに干渉することなく、夫々水平姿勢にまで下降できる。勿論補強板１７との干渉も生じない。
よって、４つのリンクは上下に重ならず、図４，５の如く、全て水平に重なり合って並列するため、テーブル３は略リンク１つの幅のみ残した位置まで下降できる。
【０００９】
尚、上記下限位置から上昇する場合は、油圧シリンダ２１の作動でピストンロッド２２が伸長すると、図５の下限位置では、テコ部材２０の右端は支点軸１９より上側に位置しているため、テコ部材２０は支点軸１９を中心に反時計回りに回転し、左端のローラ２３による押し下げと、右端による押し上げとで、テーブル３に揚力が発生し、パンタグラフリンク４，４が押し拡げられる。ある程度上昇すると、図示しないストッパでテコ部材２０の回転が停止するため、後は油圧シリンダ２１の揚力が直接リンク１０，１０に作用し、テーブル３を図１の上限まで上昇させるものとなる。又、補強板１７には、テコ部材２０の回転時にローラ２３が摺動するカムブロック２４が取着されており、ローラ２３による押し下げが効果的に作用するようになっている。
【００１０】
このように上記形態によれば、リンク同士を平面方向に重ならないように配置すると共に、上下のリンクの軸着部分の間隔や端部の長さを考慮して互いに干渉しない構造としたことで、最低高さを極限まで低くしたリフト装置を得ることができる。よって、ピットを掘削する必要がなく、又掘削しても浅いピットで済むから、設置場所に制約を受けず、階上等でも設置が可能となる。又、全体がコンパクト化して保管や輸送にも至便となる。これらは、リンク端部を除いて略全体の幅寸法（特にリンク交点の中央軸部分）を削ることなく実現しているため、強度への影響はなく、充分な剛性が確保できる。一方、構成自体も、リンク両端の加工とリンクの間隔の設定のみで良いから、コストがかからず、精度も維持できる。加えて、各リンクが上下に重ならないことで、ゴミ等が介入して最低高さまでの下降を阻害する等の動作への支障の発生も防止できる。
【００１１】
尚、上記形態では、リンク６と９との軸着端部と、これと干渉するリンク７との間に、半分幅で干渉を回避する第一発明を、リンク７と１０との軸着端部と、これと干渉するリンク９との間に、リンク９の端部を短くして干渉を回避する第二発明を夫々同時に適用しているが、これは、補強板１７，１７との干渉を回避するために両軸着端部の下側を夫々切除する必要があるためで、図１において補強板１７を用いない場合は、リンク７と１０との軸着端部を、上側を切除した半分幅にすると共に、リンク９の上端を短寸とせず、元の長さで下側を削除した半分幅として、両軸着端部に第一発明のみを適用したり、又は、各リンク端部の切除部をなくして、リンク６と７の下端及びリンク９と１０の上端を短くして、両軸着端部との干渉を回避する第二発明のみを適用したりしても良い。
又、各リンク端部の半分幅は、上記形態では切除によって形成しているが、本発明は、リンクの中央部分の幅と端部の幅とを変えることで端部での干渉を防止し、最下降時に全てのリンクをリンク１つの幅内に納める趣旨であるため、このような切除による他、等幅のリンクに幅方向に寸法を付加する長尺部材を端部を除いて取り付けることで幅の相違を設定しても差し支えない。
【００１２】
【発明の効果】
請求項１及び２に記載の発明によれば、リンク同士を平面方向で重ならないように配置すると共に、リンク端部形状や長さを考慮して互いに干渉しない構造としたことで、最下降時には各リンクが水平姿勢又はそれに近い状態となるようにパンタグラフリンクを折り畳むことができ、最低高さを極限まで低くしたリフト装置を得ることができる。よって、ピットを掘削する必要がなく、たとえ掘削しても浅いピットで済むから、設置場所に制約を受けず、階上等でも設置が可能となる。又、全体がコンパクト化して保管や輸送にも至便となる。これらは、リンク端部を除いて略全体の幅寸法を削ることなく実現しているため、強度への影響がなく、充分な剛性が確保できる。
一方、構成自体も、リンク両端の加工とリンクの間隔の設定のみで良いから、コストがかからず、精度も維持できる。加えて、各リンクが上下に重ならないことで、ゴミ等が介入して最低高さまでの下降を阻害する等の動作への支障の発生も防止可能となる。
【図面の簡単な説明】
【図１】リフト装置の全体説明図である。
【図２】下限状態のパンタグラフリンクの一端側の説明図である。
【図３】下限状態のパンタグラフリンクの他端側の説明図である。
【図４】下限状態のリフト装置の平面説明図である。
【図５】図４の正面説明図である。
【符号の説明】
１・・リフト装置、２・・ベース、３・・テーブル、４・・パンタグラフリンク、５，８・・中央軸、６，７，９，１０・・リンク、１１，１２，１４・・軸、１３，１５・・ローラ、２０・・テコ部材、２１・・油圧シリンダ。
【図１】
0003759829.tif 000002
【図２】
0003759829.tif 000003
【図３】
0003759829.tif 000004
【図４】
0003759829.tif 000005
【図５】
0003759829.tif 000006